(57)【要約】【課題】レーザー遮蔽板の取付部分のガタをなくして、光ディスク回転時の振動騒音の発生を抑えることができる光ディスク装置を提供する。【解決手段】ディスクトレイ１０を内側に進退自在に設けたローダーシャーシ１と、このローダーシャーシ１の上部開口を覆うレーザー遮蔽板１２とを備えた光ディスク装置において、ローダーシャーシ１の左右の側壁部１ｃ，１ｄに上向きのボス部１ｅ，１ｅを立設し、双方のボス部１ｅ，１ｅに外側から内側に向かって又は内側から外側に向かって弾接する弾接部（ブリッジ片１２ｃ，１２ｄ）をレーザー遮蔽板１２の左右両側端部に形成した構成とする。ボス部１ｅ，１ｅと弾接部との間にガタが生じず、光ディスク回転時のレーザー遮蔽板１２の取付部分の振動が弾接部によって吸収緩和されるため、レーザー遮蔽板１２の取付部分の振動騒音（所謂、ビビリ音）の発生を抑えることができる。【選択図】図１
2008171466.tif 000002
【特許請求の範囲】
【請求項１】
ディスクトレイを内側に進退自在に設けたローダーシャーシと、このローダーシャーシの上部開口を覆うレーザー遮蔽板とを備えた光ディスク装置において、
上記ローダーシャーシの左右の側壁部に、上端部に上窄まりのテーパー面又は斜面を形成した上向きのボス部を立設すると共に、上記レーザー遮蔽板の左右両側端部にボス部を挿通させるボス部挿通口を形成し、双方のボス部に外側から内側に向かって又は内側から外側に向かって弾接する弾接部として、前後方向に延びる細長いブリッジ片をボス部挿通口に架設するか、或いは、ボス部挿通口の内側斜め上方に向かって立ち上がる立片をボス部挿通口の左右いずれかの口縁部に設けたことを特徴とする光ディスク装置。
【請求項２】
ディスクトレイを内側に進退自在に設けたローダーシャーシと、このローダーシャーシの上部開口を覆うレーザー遮蔽板とを備えた光ディスク装置において、
上記ローダーシャーシの左右の側壁部に上向きのボス部を立設し、双方のボス部に外側から内側に向かって又は内側から外側に向かって弾接する弾接部を上記レーザー遮蔽板の左右両側端部に形成したことを特徴とする光ディスク装置。
【請求項３】
上記レーザー遮蔽板の左右両側端部に上記ボス部を挿通させるボス部挿通口を形成し、上記弾接部として、前後方向に延びる細長いブリッジ片をボス部挿通口に架設したことを特徴とする請求項２に記載の光ディスク装置。
【請求項４】
上記レーザー遮蔽板の左右両側端部に上記ボス部を挿通させるボス部挿通口を形成し、上記弾接部として、ボス部挿通口の内側斜め上方に向かって立ち上がる立片をボス部挿通口の左右いずれかの口縁部に設けたことを特徴とする請求項２に記載の光ディスク装置。
【請求項５】
上記レーザー遮蔽板の左右両側端部に、上記弾接部として、前後方向に延びる板バネ片を設けたことを特徴とする請求項２に記載の光ディスク装置。
【発明の詳細な説明】
【技術分野】
【０００１】
本発明は光ディスク装置に関し、特に、ローダーシャーシに対するレーザー遮蔽板の嵌合取付部分のガタを除去して光ディスク回転時の振動騒音の発生を抑えるように改良した光ディスク装置に関する。
【背景技術】
【０００２】
従来の光ディスク装置には、ローダーシャーシの上部開口をレーザー遮蔽板で覆ったものが多い。かかるレーザー遮蔽板は、通常、その左右両側端部に位置決め孔を形成し、ローダーシャーシの左右の側壁部から立設したボス部を上記の位置決め孔に嵌合させることによって、ローダーシャーシに位置決めして取付けられている。
【０００３】
ところで、キャビネット内のブラケットにビス等を用いないでシールドプレートを取付け、廃棄する際に容易に分離できるシールドプレート保持構造として、シールドプレート上に少なくとも一方が弾性変形可能に形成され、且つ、先端部が互いに隙間を存して対向した一対の押圧片と、基端部が該隙間より太く形成され、且つ、ブラケットから突設されて該押圧片の隙間に嵌まるボスとを備え、ボスの側方が開放されて、基端部から破断したボスの脱落を許す逃げ空間が形成された構造が提案されている（特許文献１）。
【０００４】
また、トレイの振動を吸収するディスク装置として、トレイの後部下面に前後進方向に沿って弾性変位可能な帯板が突設されると共に、この帯板に対向してローダーシャーシに横揺れ防止ピンが突設され、ローダーシャーシの後部上面を覆う遮蔽板の後端縁に、斜め下向きに延びてトレイの後端縁に対向する弾性変位可能な押え板が突設されており、トレイを最後進させることによって、帯板後部の傾斜板部を横揺れ防止ピンに接触させると共に、トレイ後端縁をローダーシャーシの押え板に接触させるようにしたものが提案されている（特許文献２）。
【０００５】
そして、防振性能の向上を計ったディスクプレーヤとして、再生機構を弾性的に支持する防振体を支持すべく、該防振体に貫通するピンを一方のキャビネットに形成すると共に、該ピンの先端が嵌合される孔が設けられたボスを他方のキャビネットに一体的に形成することにより、該ピンの両端が固定端となるようにしてボスを防振体の一端に挿入したものも提案されている（特許文献３）。
【特許文献１】特開２００１−２１００７２号公報
【特許文献２】特開２００５−３３２５３６号公報
【特許文献３】実開平５−８６１９３号公報
【発明の開示】
【発明が解決しようとする課題】
【０００６】
しかしながら、レーザー遮蔽板の左右両側端部に形成した位置決め孔に、ローダーシャーシの左右の側壁部から立設したボス部を嵌合させて、レーザー遮蔽板をローダーシャーシの上部開口に取付けた従来の光ディスク装置は、位置決め孔とボス部との嵌合部分にガタがあるため、光ディスクの回転時にレーザー遮蔽板の嵌合取付部分に振動騒音（所謂、ビビリ音）が発生し、特に、偏重心光ディスクの回転時には振動騒音が大きくなるという問題がある。このような振動騒音の問題は、位置決め孔の内径とボス部の外径を実質的に同一として隙間を極力小さくすれば一応解決されるが、そのようにすると、位置決め孔とボス部の嵌合作業に時間がかかり、作業性が悪くなるという問題が新たに生じるので、好ましい解決策とは言えない。
【０００７】
また、特許文献１のシールドプレート保持構造は、ブラケットから突設されたボスを一対の押圧片の隙間に嵌め込み、ボスの側方にボスの脱落を許す逃げ空間を形成することによって、ビス等を用いないでシールドプレートを取付け、廃棄する際にボスを破断させてシールドプレートを容易に分離できるようにしたものであり、シールドプレートの振動騒音を抑えるために嵌合ガタをなくすようにしたものではない。
【０００８】
更に、特許文献２のディスク装置は、帯板後部の傾斜板部を横揺れ防止ピンに接触させると共に、トレイ後端縁をローダーシャーシの押え板に接触させて、トレイの振動を抑えるようにしたものであり、このような手段を採用しても、レーザー遮蔽板の嵌合取付部分のガタをなくして振動騒音を抑えることはできない。また、引用文献３のディスクプレーヤの防振装置は、ローダーシャーシとトラバースシャーシとの取付部分には採用可能であっても、ローダーシャーシとレーザー遮蔽板との嵌合取付部分に採用してレーザー遮蔽板の振動騒音を抑えることはできない。
【０００９】
本発明は上記の事情の下になされたもので、その解決しようとする課題は、レーザー遮蔽板の取付部分のガタを除去して、光ディスク回転時の振動騒音の発生を抑えることができる光ディスク装置を提供することにある。
【課題を解決するための手段】
【００１０】
上記課題を解決するため、本発明に係る光ディスク装置は、ディスクトレイを内側に進退自在に設けたローダーシャーシと、このローダーシャーシの上部開口を覆うレーザー遮蔽板とを備えた光ディスク装置において、上記ローダーシャーシの左右の側壁部に上向きのボス部を立設し、双方のボス部に外側から内側に向かって又は内側から外側に向かって弾接する弾接部を上記レーザー遮蔽板の左右両側端部に形成したことを特徴とするものである。
【００１１】
本発明の光ディスク装置においては、上記レーザー遮蔽板の左右両側端部に上記ボス部を挿通させるボス部挿通口を形成し、上記弾接部として、前後方向に延びる細長いブリッジ片をボス部挿通口に架設することが好ましい。また、上記弾接部として、ボス部挿通口の内側斜め上方に向かって立ち上がる立片をボス部挿通口の左右いずれかの口縁部に設けることも好ましい。更に、レーザー遮蔽板の左右両側端部に、上記弾接部として、前後方向に延びる板バネ片を設けることも好ましい。
【００１２】
そして、本発明のより具体的な好ましい光ディスク装置は、ディスクトレイを内側に進退自在に設けたローダーシャーシと、このローダーシャーシの上部開口を覆うレーザー遮蔽板とを備えた光ディスク装置において、上記ローダーシャーシの左右の側壁部に、上端部に上窄まりのテーパー面又は斜面を形成した上向きのボス部を立設すると共に、上記レーザー遮蔽板の左右両側端部にボス部を挿通させるボス部挿通口を形成し、双方のボス部に外側から内側に向かって又は内側から外側に向かって弾接する弾接部として、前後方向に延びる細長いブリッジ片をボス部挿通口に架設するか、或いは、ボス部挿通口の内側斜め上方に向かって立ち上がる立片をボス部挿通口の左右いずれかの口縁部に設けたことを特徴とするものである。
【発明の効果】
【００１３】
本発明の光ディスク装置のように、ローダーシャーシの左右の側壁部に上向きのボス部を立設し、レーザー遮蔽板の左右両側端部に形成した弾接部を双方のボス部に外側から内側に向かって又は内側から外側に向かって弾接させると、ボス部と弾接部との間にガタが生じず、光ディスク回転時のレーザー遮蔽板の取付部分の振動が弾接部によって吸収緩和されるため、レーザー遮蔽板の取付部分の振動騒音（所謂、ビビリ音）の発生を抑えることができる。しかも、ボス部に弾接部を外側又は内側から弾接させてレーザー遮蔽板をローダーシャーシの上部開口に取付ける作業は、従来のようにボス部を位置決め孔に嵌合させて取付ける場合よりも遥かに容易であり、短時間で行えるものであるから、作業性を向上させることも可能となる。
【００１４】
このような作用効果は、レーザー遮蔽板の左右両側端部にボス部挿通口を形成し、上記記弾接部として、前後方向に延びる細長いブリッジ片をボス部挿通口に架設した光ディスク装置や、上記弾接部として、ボス部挿通口の内側斜め上方に向かって立ち上がる立片をボス部挿通口の左右いずれかの口縁部に設けた光ディスク装置において顕著に発揮される。また、レーザー遮蔽板の左右両側端部に、上記弾接部として、前後方向に延びる板バネ片を設けた光ディスク装置においても、顕著に発揮される。
【００１５】
そして、本発明のより具体的な好ましい光ディスク装置のように、ローダーシャーシの左右の側壁部に、上端部に上窄まりのテーパー面又は斜面を形成した上向きのボス部を立設したものは、上記の作用効果に加えて、レーザー遮蔽板の左右両側端部のボス部挿通口にボス部を挿通するときに、ボス部の上窄まりのテーパー面又は斜面によって、弾接部である細長いブリッジ片又は立片を外側又は内側へ弾性変形させながら、これらのブリッジ片又は立片をボス部に外側又は内側から弾接させることができるので、取付作業性が一層向上するという効果を得ることができる。
【００１６】
尚、レーザー遮蔽板の左右両側端部に弾接部として前後方向に延びる板バネ片を設けた光ディスク装置において、上端部に上窄まりのテーパー面又は斜面を形成したボス部を立設しても勿論よいが、かかる板バネ片を設けたものは、板バネ片の自由端を指先で外側又は内側に弾性的に湾曲させて簡単にボス部に弾接させることができるので、ボス部に上記のテーパー面や斜面を形成しなくても、取付作業性は良好である。
【発明を実施するための最良の形態】
【００１７】
以下、図面を参照して本発明の具体的な実施形態を詳述する。
【００１８】
図１は本発明の一実施形態に係る光ディスク装置の平面図、図２はレーザー遮蔽板とディスクトレイとローダーシャーシのブリッジ部を省略した同光ディスク装置の平面図、図３の（ａ）（ｂ）は図１の円（ア）（イ）で囲んだ部分の拡大図、図４の（ａ）（ｂ）は同光ディスク装置のローダーシャーシに取付ける前のレーザー遮蔽板の左右両側端部のボス部挿通口を形成した部分の拡大図、図５の（ａ）（ｂ）はそれぞれ異なる形状のボス部を示す斜視図である。
【００１９】
この光ディスク装置は、図２に示すように、熱可塑性合成樹脂製のローダーシャーシ１の内側に、熱可塑性合成樹脂製のトラバースシャーシ２を、その後端部の左右二箇所において取付ネジ３とゴムダンパー４を用いて上下揺動可能に取付けたものであって、トラバースシャーシ２には、光ピックアップ５、スピンドルモータ６、ターンテーブル７、駆動モータ（不図示）、動力伝達歯車機構（不図示）などが搭載されている。
【００２０】
ターンテーブル７はスピンドルモータ６の出力軸に固定されており、トラバースシャーシ２が上方に回動したときに、このターンテーブル７とその上側のクランパー８とで光ディスクをチャックして回転させるようになっている。このクランパー８は、図１に示すように、ローダーシャーシ１の上部に横架されたブリッジ部１ａの中央のクランパー保持部１ｂに回転自在に保持されている。そして、光ピックアップ５は、そのラックギア５ａが動力伝達歯車機構のピニオンギアと噛合し、２本のガイド軸９ａ，９ｂに沿ってターンテーブル７に対して接近・離反方向に移動するようになっており、接近方向に移動するときにレーザービームを光ディスクに下方から照射して、記録・再生を行うようになっている。
【００２１】
図１に示すように、ディスクトレイ１０は、クランパー８とその下側のターンテーブル７との間に配置されて、前後移動可能にローダーシャーシ１の内側に取付けられており、動力伝達歯車機構のピニオンギアがディスクトレイ１０の裏面のラックギア１０ａに噛合して、ディスクトレイ１０を装置内に送り込んだり取り出したりするようになっている。
【００２２】
また、ローダーシャーシ１の前縁部には、図２に示すように、カムスライダー１１が左右スライド可能に取付けられており、トラバースシャーシ２の前端から突き出す突起２ａがカムスライダー１１のカム溝に係合されている。そして、このカムスライダー１１のラックギア１１ａと噛合する動力伝達歯車機構のピニオンギアによってカムスライダーが１１が左右方向にスライドすると、カム溝に沿ってトラバースシャーシ２の前端の突起２ａが摺動しながら上下動するため、トラバースシャーシ２はその後端の取付部分を支点として上下に揺動するようになっている。
【００２３】
図１に示すように、このローダーシャーシ１のブリッジ部１ａより後側には、ローダーシャーシ１の上部開口を覆う板金製のレーザー遮蔽板１２が取付けられており、本発明の光ディスク装置はこのレーザー遮蔽板１２の取付部分に大きい特徴を有している。
【００２４】
即ち、図２，図３の（ａ）（ｂ）に示すように、ローダーシャーシ１の左右の側壁部１ｃ，１ｄには上向きのボス部１ｅ，１ｅが突設されており、それぞれのボス部１ｅを下方から挿通する大きい方形のボス部挿通口１２ａ，１２ｂがレーザー遮蔽板１２の左右両側端部に形成されている。そして、図４の（ａ）（ｂ）に示すように、左右両側端部のボス部挿通口１２ａ，１２ｂには、弾接部として前後方向に延びる細長いブリッジ片１２ｃ，１２ｄが架設されており、ブリッジ片１２ｃは左側端部のボス部挿通口１２ａの中心よりも左側（外側）に、また、ブリッジ片１２ｄは右側端部のボス部挿通口１２ｂの中心よりも右側（外側）に、それぞれ偏位している。これらのブリッジ片１２ｃ，１２ｄは、ボス部１ｅ，１ｅをボス部挿通口１２ａ，１２ｂに挿入してレーザー遮蔽板１２をローダーシャーシ１に取付ける前は、図４の（ａ）（ｂ）に示すように真っ直ぐであるが、ボス部１ｅ，１ｅをボス部挿通口１２ａ，１２ｂに挿入してレーザー遮蔽板１２をローダーシャーシ１に取付けると、図３の（ａ）（ｂ）に示すように、一方のブリッジ片１２ｃはボス部１ｅにより左側（外側）に弾性的に湾曲変形し、他方のブリッジ片１２ｄはボス部１ｅにより右側（外側）に弾性的に湾曲変形して、いずれのブリッジ片１２ｃ，１２ｄもボス部１ｅに対し外側から内側に向かって弾接するようになる。従って、ボス部１ｅ，１ｅとブリッジ片１２ｃ，１２ｄとの間にガタが生じなくなり、光ディスク回転時におけるレーザー遮蔽板１２の取付部分の振動がブリッジ片１２ｃ，１２ｄによって吸収緩和されるため、レーザー遮蔽板１２の取付部分の振動騒音（所謂、ビビリ音）の発生を抑えることができる。しかも、ボス部１ｅ，１ｅを大きい方形のボス部挿通口１２ａ，１２ｂに挿通してブリッジ片１２ｃ，１２ｄを弾接させる作業は、従来のようにボス部を位置決め孔に嵌合させて取付ける場合よりも遥かに容易であり、極く短時間で行えるものであるから、作業性を大幅に向上させることができる。
【００２５】
ボス部１ｅの形状は円柱状でも角柱状でもよいが、レーザー遮蔽板１２の取付作業性を更に向上させるためには、図５の（ａ）に示すように、上端部に上窄まりのテーパー面１ｆを形成した円柱状のボス部１ｅ、或いは、図５の（ｂ）に示すように、上端部に上窄まりの斜面１ｇを形成した角柱状のボス部１ｅとすることが好ましい。このようなボス部１ｅは、テーパー面１ｆや斜面１ｇがガイド面になって、ブリッジ片１２ｃ，１２ｄをスムーズに外側へ弾性的に湾曲変形させながらボス部挿通口１２ａ，１２ｂに挿通できるので、レーザー遮蔽板１２の取付作業性を顕著に向上させることができる。
【００２６】
この光ディスク装置は、ブリッジ片１２ｃ，１２ｄをボス部１ｅ，１ｅに外側から弾接させているが、ボス部挿通口１２ａ，１２ｂにおけるブリッジ片１２ｃ，１２ｄの架設位置を変更して、ブリッジ片１２ｃ，１２ｄを内側からボス部１ｅ，１ｅに弾接させてもよく、このように内側から弾接させても、上記と同様の作用効果を得ることができる。
【００２７】
以上のような構成の光ディスク装置は、トラバースシャーシ２が下方へ回動してディスクトレイ１０が前方に取り出された状態において、ディスクトレイ１０に光ディスクを載置し、ディスクトレイ１０を装置内へ送り込むと、カムスライダー１１が図２において左方向にスライドしてトラバースシャーシ２が上方へ回動し、光ディスクがターンテーブル７とクランパー８とでチャックされて回転すると共に、光ピックアップ５がガイド軸９ａ，９ｂに沿ってターンテーブル７の方へ移動しながら、レーザービームを光ディスクに照射して記録・再生が行われる。そして、記録・再生が終わると、上記と逆動作して光ディスクがディスクトレイ１０に載って装置から取り出される。上記のように光ディスクを回転させながら記録・再生を行うと、光ディスクの回転に伴ってレーザー遮蔽板１２が振動しようとするが、前述のように、ボス部１ｅ，１ｅにブリッジ片１２ｃ，１２ｄが弾接してガタがなくなり、レーザー遮蔽板１２の取付部分の振動がブリッジ片１２ｃ，１２ｄで吸収緩和されるため、レーザー遮蔽板１２の取付部分の振動騒音（所謂、ビビリ音）の発生を抑えることができる。
【００２８】
図６は本発明の他の実施形態に係る光ディスク装置の要部斜視図、図７は図６のＡ−Ａ線断面図である。
【００２９】
この光ディスク装置は、ローダーシャーシの左右の側壁部１ｃ，１ｄに角柱状のボス部１ｅ，１ｅを立設し、レーザー遮蔽板１２の左右両側端部のボス部挿通口１２ａ，１２ｂにボス部１ｅ，１ｅを下方から挿通したものであって、左側端部のボス部挿通口１２ａの左側口縁部１２ｇからボス部挿通口１２ａの内側斜め上方（右斜め上方）に向かって立ち上がる立片１２ｅが左側（外側）からボス部１ｅに弾接しており、右側端部のボス部挿通口１２ｂの右側口縁部１２ｈからボス部挿通口１２ｂの内側斜め上方（左斜め上方）に向かって立ち上がる立片１２ｆが右側（外側）からボス部１ｅに弾接している。
【００３０】
従って、この光ディスク装置も、ボス部１ｅ，１ｅと立片１２ｅ，１２ｆとの間にガタがなく、これらの立片１２ｅ，１２ｆによって光ディスク回転時のレーザー遮蔽板１２の取付部分の振動が吸収緩和されるため、レーザー遮蔽板１２の取付部分の振動騒音を抑えることができる。そして、立片１２ｅ，１２ｆは、ボス部挿通口１２ａの左側口縁部１２ｇとボス部挿通口１２ｂの右側口縁部から内側に向かって突片をそれぞれ形成すると共に、該左側口縁部１２ｇと該右側口縁部１２ｈをそれぞれ斜め下方へ折り曲げることによって、簡単に形成することができる。しかも、これらの立片１２ｅ，１２ｆは、ボス部１ｅ，１ｅを下方からボス部挿通口１２ａ，１２ｂに挿通するときに、ボス部１ｅ，１ｅにより外側に押圧されて弾性変形しながらボス部１ｅ，１ｅの外側面に弾接するので、レーザー遮蔽板１２の取付作業性が極めて良好である。
【００３１】
この光ディスク装置のボス部１ｅは、その上端部に斜面を形成していないが、斜面を形成しても勿論よい。また、この光ディスク装置では、立片１２ｅ，１２ｆを外側からボス部１ｅ，１ｅに弾接させているが、立片１２ｅ，１２ｆをボス部挿通口１２ａの右側口縁部とボス部挿通口１２ｂの左側口縁部にそれぞれ形成して、立片１２ｅ，１２ｆをボス部１ｅ，１ｅに内側から弾接させてもよく、その場合も上記と同様にレーザー遮蔽板１２の取付部分の振動騒音を抑えることができる。
【００３２】
図８は本発明の更に他の実施形態に係る光ディスク装置の要部平面図である。
【００３３】
この光ディスク装置は、ローダーシャーシの左右の側壁部１ｃ，１ｄに、上端部を先窄まりのテーパー面とした円柱状のボス部１ｅ，１ｅを立設する一方、レーザー遮蔽板１２の左右両側端部に、凹部１２ｉ，１２ｉと、弾接部として前後方向に延びる板バネ片１２ｊ，１２ｊを設け、これらの凹部と板バネ片との間にボス部１ｅ，１ｅを下方から挿通して、板バネ片１２ｊ，１２ｊをボス部１ｅ，１ｅに外側から弾接させたものである。
【００３４】
このような光ディスク装置も、ボス部１ｅ，１ｅと板バネ片１２ｊ，１２ｊとの間にガタがなく、これらの板バネ片１２ｊ，１２ｊによって光ディスク回転時のレーザー遮蔽板１２の取付部分の振動が吸収緩和されるため、レーザー遮蔽板１２の取付部分の振動騒音を抑えることができ、また、ボス部１ｅ，１ｅを下方から挿通するときに、板バネ片１２ｊ，１２ｊがボス部１ｅ，１ｅにより外側に押圧されて弾性変形しながらボス部１ｅ，１ｅの側面に弾接するので、レーザー遮蔽板１２の取付作業性も極めて良好である。尚、ボス部１ｅが上端部にテーパー面を有しないものであっても、板バネ片１２ｊの自由端を指先で外側に弾性的に湾曲させて簡単にボス部１ｅに弾接させることができるので、取付作業性が低下することはない。
【図面の簡単な説明】
【００３５】
【図１】本発明の一実施形態に係る光ディスク装置の平面図である。
【図２】レーザー遮蔽板とディスクトレイとローダーシャーシのブリッジ部を省略した同光ディスク装置の平面図である。
【図３】（ａ）は図１の円（ア）で囲んだ部分の拡大図、（ｂ）は図１の円（イ）で囲んだ部分の拡大図である。
【図４】（ａ）は同光ディスク装置のローダーシャーシに取付ける前のレーザー遮蔽板の左側端部のボス部挿通口を形成した部分の拡大図、（ｂ）は同光ディスクのローダーシャーシに取付ける前のレーザー遮蔽板の右側端部のボス部挿通口を形成した部分の拡大図である。
【図５】（ａ）（ｂ）はそれぞれ異なる形状のボスを示す斜視図である。
【図６】本発明の他の実施形態に係る光ディスク装置の要部斜視図である。
【図７】図６のＡ−Ａ線断面図である。
【図８】本発明の更に他の実施形態に係る光ディスク装置の要部平面図である。
【符号の説明】
【００３６】
１    ローダーシャーシ
１ｃ  左側壁部
１ｄ  右側壁部
１ｅ  ボス部
１ｆ  テーパー面
１ｇ  斜面
２    トラバースシャーシ
５    光ピックアップ
１０  ディスクトレイ
１２  レーザー遮蔽板
１２ａ，１２ｂ  ボス部挿通口
１２ｃ，１２ｄ  ブリッジ片（弾接部）
１２ｅ，１２ｆ  立片（弾接部）
１２ｇ  左側口縁部
１２ｈ  右側口縁部
１２ｊ  板バネ片（弾接部）
【図１】
2008171466.tif 000003
【図２】
2008171466.tif 000004
【図３】
2008171466.tif 000005
【図４】
2008171466.tif 000006
【図５】
2008171466.tif 000007
【図６】
2008171466.tif 000008
【図７】
2008171466.tif 000009
【図８】
2008171466.tif 000010